(57)【要約】      （修正有）【課題】簡便に携帯でき、容易に操作できるツールヘッド携帯構造を提供する。【解決手段】ツールヘッド携帯構造は、軸方向が定義され、ツールヘッドを組み立てるための組立部１１を備えるソケットと、軸アセンブリと、を備える。軸アセンブリは、軸方向に沿って移動可能にソケットに設けられソケットへ部分的に突出して外部操作可能な操作部、携帯装置を接続するための接続部２２、及びクランプ機構を備える。クランプ機構は、組立部に径方向に縮み可能に突設された少なくとも１つのクランプ部材２３１、クランプ部材を径方向に押圧可能な当接部、及び軸アセンブリとソケットとの間に接続される弾性部材を備える。弾性部材は軸アセンブリに弾性的に当接してクランプ部材をロック位置へ移動させる。軸アセンブリが組立部の方向へ移動するとき、クランプ部材はロック位置からリリース位置に移動する。【選択図】図１
0003229275.tif 000002
【実用新案登録請求の範囲】
【請求項１】
ツールヘッド携帯構造であって、
軸方向が定義されており、ツールヘッドを組み立てるための組立部を備えるソケットと、
前記軸方向に沿って移動可能に前記ソケットに設けられ、前記ソケットへ部分的に突出して外部操作可能な操作部、携帯装置を接続するための接続部及びクランプ機構を備え、
前記クランプ機構が前記組立部に径方向に縮み可能に突設された少なくとも１つのクランプ部材、前記少なくとも１つのクランプ部材を径方向に押圧可能な当接部及び前記軸アセンブリと前記ソケットとの間に接続された弾性部材を備え、前記弾性部材が前記軸アセンブリに弾性的に当接して前記少なくとも１つのクランプ部材をロック位置へ移動させ、前記軸アセンブリが前記組立部の方向へ移動するときに、前記少なくとも１つのクランプ部材が前記ロック位置からリリース位置に移動する軸アセンブリと、を備えるツールヘッド携帯構造。
【請求項２】
前記ソケットは、前記操作部を収容する収容溝、及び前記収容溝から前記組立部に向けて延びる長溝をさらに備え、前記長溝は前記収容溝よりも小径であり、前記軸アセンブリは、前記長溝に挿設された連動部材をさらに備え、前記連動部材は、前記当接部を有し、前記操作部に当接可能な頭部を備える、請求項１に記載のツールヘッド携帯構造。
【請求項３】
前記弾性部材は、対向設置された縮小端と拡大端を備える円錐ばねであり、前記縮小端が前記頭部に当接し、前記拡大端が前記収容溝の底壁に当接する、請求項２に記載のツールヘッド携帯構造。
【請求項４】
前記ソケットは、前記操作部を収容する収容溝をさらに備え、前記収容溝の内周壁には、前記軸方向に交差する少なくとも１つの段差面が設けられ、前記操作部の外周壁には、前記少なくとも１つの段差面に当接可能な少なくとも１つのフランジが設けられている、請求項１に記載のツールヘッド携帯構造。
【請求項５】
前記ソケットは、前記操作部を収容する収容溝をさらに備え、前記収容溝の内周壁には、少なくとも１つの平面が設けられ、前記操作部の外周壁には、前記少なくとも１つの平面に対応する少なくとも１つのガイド面が設けられている、請求項１に記載のツールヘッド携帯構造。
【請求項６】
前記ソケットと前記操作部との間に径方向に挿着されたピン、及び前記ソケットの外周壁に嵌合されたブッシュをさらに備え、前記ブッシュは、前記ピンの少なくとも一端を径方向に受け止める、請求項１に記載のツールヘッド携帯構造。
【請求項７】
前記少なくとも１つのクランプ部材が前記ロック位置にある場合、前記ソケットへ軸方向に突出した前記操作部の長さは５ｃｍ以下である、請求項１に記載のツールヘッド携帯構造。
【請求項８】
前記接続部は、周壁の径方向が内向きに傾斜して延びる貫通孔を少なくとも１つ備える、請求項１に記載のツールヘッド携帯構造。
【請求項９】
前記収容溝の内周壁には、前記長溝から離れた一側に前記軸方向に交差する複数の段差面が設けられ、前記操作部の外周壁には、前記複数の段差面に当接可能なフランジが設けられ、
前記収容溝の内周壁には、互いに間隔を空けて設置された複数の平面が設けられ、前記操作部の外周壁には、前記複数の平面に対応する複数のガイド面が設けられ、
前記ツールヘッド携帯構造は、前記ソケットと前記操作部の間に径方向に挿着されたピン、及び前記ソケットの外周壁に嵌合されたブッシュをさらに備え、前記ブッシュは、前記ピンの少なくとも一端を径方向に受け止め、
前記ソケットは、前記ピンを挿設する２つの凹孔をさらに備え、前記凹孔の一方が前記ソケットの外壁面に向けて縮径となり、
前記ソケットは、前記ブッシュと締まり嵌めで嵌合され、前記ブッシュの外周壁には、少なくとも１つの滑り止め凸部が設けられ、
前記操作部は、制限孔が径方向に穿設され、前記ピンは前記制限孔に挿通され、前記少なくとも１つのクランプ部材が前記ロック位置にある場合、各前記段差面と前記フランジとの間隔は、前記ピンに対して前記制限孔が移動可能な距離以下であり、
前記少なくとも１つのクランプ部材が前記ロック位置にある場合、前記ソケットへ軸方向に突出した前記操作部の長さは５ｃｍ以下であり、
前記接続部は、前記ソケットに突出した前記操作部の一側に設けられ、
前記接続部は、周壁が径方向において内向きに傾斜して延びる少なくとも１つの貫通孔が設けられている、請求項３に記載のツールヘッド携帯構造。
【請求項１０】
前記接続部に接続された前記携帯装置をさらに備え、前記携帯装置は、吊り下げて開放可能なフックが設けられている、請求項１〜９のいずれか１項に記載のツールヘッド携帯構造。
【考案の詳細な説明】
【技術分野】
【０００１】
本考案は、携帯構造、特にツールヘッド携帯構造に関する。
【背景技術】
【０００２】
一般には、駆動ツールを使用するときに、種々の規格の締結具に対応して、例えば、さまざまなサイズの六角ブッシュ、外六角ブッシュ、ドライバーヘッドなど、対応するツールヘッドを使い分けることにより、多様な操作ニーズに対応する必要がある。しかしながら、一般的なツールヘッドはツールボックス又は収納ボックスに収納される場合が多く、体積が大きく、持ち運びも使用も不便であり、特に狭い作業スペースや高所作業の場合には、このようなツールボックス又は収納ボックスを置く場所もなく、そしてツールヘッドが落下するおそれがあり、利便性が不足して改善すべき欠陥がある。
【０００３】
したがって、上記問題を解決するために、新規性及び進歩性のあるツールヘッド携帯構造を提供する必要がある。
【考案の概要】
【考案が解決しようとする課題】
【０００４】
本考案の主な目的は、ツールヘッドを簡便に携帯できるとともに、容易に操作して使用できるツールヘッド携帯構造を提供することである。
【課題を解決するための手段】
【０００５】
上記目的を達成させるために、本考案はツールヘッド携帯構造を提供し、該ツールヘッド携帯構造は、軸方向が定義されており、ツールヘッドを組み立てるための組立部を備えるソケットと、前記軸方向に沿って移動可能に前記ソケットに設けられ、前記ソケットへ部分的に突出して外部操作可能な操作部、携帯装置を接続するための接続部及びクランプ機構を備え、前記クランプ機構が前記組立部に径方向に縮み可能に突設された少なくとも１つのクランプ部材、前記少なくとも１つのクランプ部材を径方向に押圧可能な当接部及び前記軸アセンブリと前記ソケットとの間に接続された弾性部材を備え、前記弾性部材が前記軸アセンブリに弾性的に当接して前記少なくとも１つのクランプ部材をロック位置へ移動させ、前記軸アセンブリが前記組立部の方向へ移動するときに、前記少なくとも１つのクランプ部材が前記ロック位置からリリース位置に移動する軸アセンブリと、を備える。
【図面の簡単な説明】
【０００６】
【図１】本考案の好ましい一実施例の斜視図である。
【図２】本考案の好ましい一実施例の分解図である。
【図３】本考案の好ましい一実施例の断面図である。
【図４】本考案の好ましい一実施例の操作の模式図である
【図５】本考案の好ましい一実施例の操作の模式図である
【図６】本考案の好ましい一実施例の使用時の部分断面図である。
【図７】本考案の好ましい一実施例の使用の模式図である。
【考案を実施するための形態】
【０００７】
以下、本考案の可能な実施形態を実施例を用いて説明するが、本考案の保護範囲を制限するものではないことを事前に説明する。
【０００８】
図１〜図７には、本考案の一好ましい実施例が示されており、本考案のツールヘッド携帯構造１は、ソケット１０及び軸アセンブリ２０を備える。
【０００９】
該ソケット１０は、軸方向Ａが定義されており、ツールヘッド２、２ａを組み立てるための組立部１１を備える。該軸アセンブリ２０は、該軸方向Ａに沿って移動可能に該ソケット１０に設けられ、該ソケット１０へ部分的に突出して外部操作可能な操作部２１、携帯装置５０を接続するための接続部２２及びクランプ機構２３を備え、該クランプ機構２３は、該組立部１１に径方向において縮み可能に突設された少なくとも１つのクランプ部材２３１、該少なくとも１つのクランプ部材２３１を径方向に押圧可能な当接部２３２及び該軸アセンブリ２０と該ソケット１０との間に接続された弾性部材２３３を備え、該弾性部材２３３は、該軸アセンブリ２０に弾性的に当接して該少なくとも１つのクランプ部材２３１をロック位置へ移動させる。該軸アセンブリ２０が該組立部１１の方向へ移動するときに、該少なくとも１つのクランプ部材２３１は、該ロック位置からリリース位置に移動することができ、このようにして、携帯該ツールヘッド２、２ａの携帯を容易にし、取り扱いを容易にする。
【００１０】
図３を参照して、該ソケット１０は、該操作部２１を収容する収容溝１２、及び該収容溝１２から該組立部１１に向けて延びる長溝１３をさらに備え、該長溝１３は、該収容溝１２よりも小径であり、該軸アセンブリ２０は、該長溝１３に挿設された連動部材２４をさらに備え、該連動部材２４は、該当接部２３２を有し、該接続部２２に対向する該操作部２１の端面に当接可能な頭部２４１をさらに備え、該頭部２４１は、該操作部２１に安定的に当接してスムーズに作動できる。他の実施例では、該連動部材は、該操作部（例えば螺合、固定接続）に接続されるか、該操作部に一体成形されてもよい。好ましくは、該弾性部材２３３は、対向設置された縮小端２３３ａと拡大端２３３ｂを有する円錐ばねであり、該縮小端２３３ａが該頭部２４１に当接し、該拡大端２３３ｂが該収容溝１２の底壁に当接し、該円錐ばねは、圧縮後の体積が小さく、且つ長い圧縮ストローク（一般的な圧縮ばねと比べて）を提供することができ、このため、該ツールヘッド携帯構造１は、より小さな体積を有することができる。しかしながら、該弾性部材は必要に応じて他の形態のばねを使用することもできる。
【００１１】
詳しくは、該収容溝１２の内周壁には、該軸方向Ａに交差する少なくとも１つの段差面１２１が設けられ、該操作部２１の外周壁には、該少なくとも１つの段差面１２１に当接可能な少なくとも１つのフランジ２１１が設けられており、該ソケット１０に対する該軸アセンブリ２０の軸方向の移動距離が制限される。該収容溝１２の内周壁には、少なくとも１つの平面１２２が設けられ、該操作部２１の外周壁には、該少なくとも１つの平面１２２に対応する少なくとも１つのガイド面２１２が設けられており、それにより、該ソケット１０に対する該軸アセンブリ２０の回動が回避され、そして、該軸アセンブリ２０が該ソケット１０に対して軸方向においてずれることなく安定的に移動するように案内できる。本実施例では、該収容溝１２の内周壁には、該長溝１３から離れた一側に複数の該段差面１２１が設けられ、該収容溝１２の内周壁には、互いに間隔を空けて設置された複数の該平面１２２が設けられ、各該段差面１２１は該平面１２２と角度をもって接続され、該操作部２１の外周壁には、該複数の平面１２２に対応する複数の該ガイド面２１２及び該複数の段差面１２１に当接可能な該フランジ２１１が周設され、このようにして、構造が簡単で加工が容易であり、かつ安定して互いに当接可能である。好ましくは、スムーズに相対的にスライドできるように、隣接する２つの該ガイド面２１２の間には面取り部２１３が設けられる。
【００１２】
該ツールヘッド携帯構造１は、該ソケット１０と該操作部２１の間に径方向に挿着されたピン３０、及び該ソケット１０の外周壁に嵌合されたブッシュ４０をさらに備え、該ブッシュ４０は、該ピン３０の少なくとも一端を径方向に受け止め、それにより組み立てやすくなる。本実施例では、該ソケット１０は、該ブッシュ４０と締まり嵌めで嵌合される。該ソケット１０は、該ピン３０を挿設する２つの凹孔１４をさらに備え、該凹孔１４の一方が該ソケット１０の外壁面に向けて縮径となり、組み立てが容易で、組立安定性が良い。該ブッシュ４０の外周壁には、少なくとも１つの滑り止め凸部４１が設けられ、操作するときに滑り止め効果を果たす。さらに、該操作部２１には、制限孔２１４が径方向に穿設され、該ピン３０は、該制限孔２１４に挿通され、該少なくとも１つのクランプ部材２３１が該ロック位置にある場合、各該段差面１２１と該フランジ２１１の間隔は、該ピン３０に対して該制限孔２１４が移動可能な距離以下であり、それにより、該軸アセンブリ２０の軸方向への過剰な移動による該ピン３０の損耗を回避できる。
【００１３】
図４及び図５を併せて参照して、使用者が片手で該軸方向Ａに沿って該組立部１１に向けて該操作部２１を押圧すると、該少なくとも１つのクランプ部材２３１は、該ロック位置から移該リリース位置に移動可能となり、該ツールヘッド２、２ａが該組立部１１から抜けるようにし、操作の利便性が良い。該少なくとも１つのクランプ部材２３１が該ロック位置にある場合、該ソケット１０へ軸方向に突出した該操作部２１の長さが５ｃｍ以下であることが好ましく、該操作部２１を片手で押圧しやく、使い勝手が良い。該組立部１１に該ツールヘッド２、２ａが組み立てられた場合、図４及び図６に示すように、該ツールヘッド携帯構造１は、手動駆動ツールとして締結具を直接回転させることもでき、機能性に優れている。
【００１４】
該接続部２２は、該ソケット１０に突出した該操作部２１の一側に設けられる。該接続部２２は、少なくとも１つの貫通孔２２１を備え、各該貫通孔２２１の周壁は、径方向において内向きに傾斜して延びており、該少なくとも１つの貫通孔２２１に挿通された該携帯装置５０は、互いに摩損することなく、該接続部２２に対してスムーズに枢動することができる。本実施例では、該ツールヘッド携帯構造１は、該接続部２２に接続された該携帯装置５０をさらに備え、該携帯装置５０は、吊り下げて開放可能なフック５１が設けられ、操作性及び携帯性が向上する。該携帯装置５０は、環状ループ、ロープループ、糸ループ、革紐などを備えてもよく、複数の該ツールヘッド携帯構造１を装着するように、図７に示すように、使用のニーズに応じて使用したり組み合わせたりすることもできる。他の実施例では、該接続部には、該携帯装置の対応する構造に接続されるために、例えばバックル構造、ネジ孔、ボルトなどが設けられてもよい。
【符号の説明】
【００１５】
１    ツールヘッド携帯構造
２、２ａ    ツールヘッド
１０    ソケット
１１    組立部
１２    収容溝
１２１    段差面
１２２    平面
１３    長溝
１４    凹孔
２０    軸アセンブリ
２１    操作部
２１１    フランジ
２１２    ガイド面
２１３    面取り部
２１４    制限孔
２２    接続部
２２１    貫通孔
２３    クランプ機構
２３１    クランプ部材
２３２    当接部
２３３    弾性部材
２３３ａ    縮小端
２３３ｂ    拡大端
２４    連動部材
２４１    頭部
３０    ピン
４０    ブッシュ
４１    滑り止め凸部
５０    携帯装置
５１    フック
Ａ    軸方向
【図１】
0003229275.tif 000003
【図２】
0003229275.tif 000004
【図３】
0003229275.tif 000005
【図４】
0003229275.tif 000006
【図５】
0003229275.tif 000007
【図６】
0003229275.tif 000008
【図７】
0003229275.tif 000009
【手続補正書】
【提出日】令和2年9月2日(2020.9.2)
【手続補正１】
【補正対象書類名】実用新案登録請求の範囲
【補正対象項目名】請求項１
【補正方法】変更
【補正の内容】
【請求項１】
ツールヘッド携帯構造であって、
軸方向が定義されており、ツールヘッドを組み立てるための組立部を備えるソケットと、
前記軸方向に沿って移動可能に前記ソケットに設けられて前記ソケットへ部分的に突出して外部操作可能な操作部、携帯装置を接続するための接続部及びクランプ機構を有する軸アセンブリを備え、
前記クランプ機構が前記組立部に径方向に縮み可能に突設された少なくとも１つのクランプ部材、前記少なくとも１つのクランプ部材を径方向に押圧可能な当接部及び前記軸アセンブリと前記ソケットとの間に接続された弾性部材を備え、前記弾性部材が前記軸アセンブリに弾性的に当接して前記少なくとも１つのクランプ部材をロック位置へ移動させ、前記軸アセンブリが前記組立部の方向へ移動するときに、前記少なくとも１つのクランプ部材が前記ロック位置からリリース位置に移動する軸アセンブリと、を備えるツールヘッド携帯構造。